【誤訳訂正書】
【提出日】平成23年7月4日(2011.7.4)
【誤訳訂正１】
【訂正対象書類名】特許請求の範囲
【訂正対象項目名】全文
【訂正方法】変更
【訂正の内容】
【特許請求の範囲】
【請求項１】
時間シーケンスで適用される送り孔（１１６）、画像（１１２）およびサウンド情報（１１４）を有するフィルム（１１０）内の位置を決定するための装置であって、前記サウンド情報は、前記フィルム上のアナログまたはデジタルサウンドトラック（１１４）に適用され、
前記サウンド情報（１１４）の基準オーディオフィンガープリント表示を記憶するためのメモリ（３２０）であって、前記基準オーディオフィンガープリント表示は、前記サウンド情報のオーディオフィンガープリント表示であり、前記基準オーディオフィンガープリント表示は、特徴抽出の方法に基づいて生成され、さらに前記オーディオフィンガープリント表示の時間的経過が前記サウンド情報の時間的経過に依存するように形成され、さらに、時間スケールが、記憶された基準オーディオフィンガープリント表示に関連付けられる、メモリ（３２０）と、
前記フィルムの前記アナログまたはデジタルサウンドトラックから前記サウンド情報の部分を受信するための手段（３４０）であって、前記サウンド情報の前記部分は、前記フィルム（１１０）上の前記アナログまたはデジタルサウンドトラック（１１４）から読み込まれる、手段（３４０）と、
前記読み込まれた部分からテストオーディオフィンガープリント表示を抽出するための手段（３５０）と、
比較および前記時間スケールに基づいて前記フィルム（１１０）内の前記位置を決定するために、前記テストオーディオフィンガープリント表示と前記基準オーディオフィンガープリント表示とを比較するための手段（３６０）とを備える、装置。
【請求項２】
抽出するための前記手段（３５０）は、前記オーディオフィンガープリント表示としてオーディオデータの連続するセクションの連続するスペクトル平坦性値を計算するように形成され、前記オーディオフィンガープリント表示の時間的経過は、前記スペクトル平坦性の時間的経過を含む、請求項１に記載の装置。
【請求項３】
前記フィルムから読み込まれる部分を受信するためのさらなる手段をさらに備え、前記部分は、前記サウンド情報の部分を受信するための前記手段（３４０）によって受信される前記部分と異なる、請求項１または請求項２に記載の装置。
【請求項４】
時間シーケンスで適用される送り孔（１１６）、画像（１１２）およびサウンド情報（１１４）を有するフィルム（１１０）内の位置を決定するための方法であって、前記サウンド情報（１１４）は、前記フィルム上のアナログまたはデジタルサウンドトラック（１１４）に適用され、
前記フィルムの前記アナログまたはデジタルサウンドトラックから前記サウンド情報の部分を受信するステップであって、前記サウンド情報の前記部分は、前記フィルム（１１０）上の前記アナログまたはデジタルサウンドトラック（１１４）から読み込まれる、受信するステップと、
前記読み込まれた部分からテストオーディオフィンガープリント表示を抽出するステップと、
前記テストオーディオフィンガープリント表示と記憶された基準オーディオフィンガープリント表示とを比較するステップであって、前記基準オーディオフィンガープリント表示は、前記サウンド情報のオーディオフィンガープリント表示であり、前記オーディオフィンガープリント表示は、特徴抽出の方法に基づいて生成され、さらに前記オーディオフィンガープリント表示の時間的経過が前記サウンド情報（１１４）の時間的経過に依存するように形成され、さらに、時間スケールが、前記比較および前記時間スケールに基づいて前記フィルム（１１０）内の前記位置を決定するために、前記記憶された基準オーディオフィンガープリント表示に関連付けられる、比較するステップとを備える、方法。
【請求項５】
コンピュータ上で実行されるときに、請求項４に記載の方法を実行するためのプログラムコードを有するコンピュータプログラム。
【誤訳訂正２】
【訂正対象書類名】明細書
【訂正対象項目名】００１９
【訂正方法】変更
【訂正の内容】
【００１９】
この目的は、請求項１に記載のフィルム内の位置を決定するための装置、請求項４に記載のフィルム内の位置を決定するための方法、および請求項５に記載のコンピュータプログラムによって達成される。
【誤訳訂正３】
【訂正対象書類名】明細書
【訂正対象項目名】００２０
【訂正方法】変更
【訂正の内容】
【００２０】
本発明は、フィルムの各位置が一般にこの位置に特有のフィルム情報を含むという知見に基づいており、フィルムの特徴抽出において異なる位置は、特徴の異なる特有の出現を含む。換言すれば、フィルムの異なる位置は、異なる「フィンガープリント」を含む。これらのフィンガープリントは、次々に、フィルム内の位置を決定するために用いることができる。
【誤訳訂正４】
【訂正対象書類名】明細書
【訂正対象項目名】００２１
【訂正方法】変更
【訂正の内容】
【００２１】
本発明によれば、時間シーケンスで適用されるフィルム情報を有するフィルム内の位置を決定するための装置が提供され、この装置は、フィルム情報の基準フィンガープリント表示（ＦＡＤ、ＦＡＤ＝Ｆｉｎｇｅｒａｂｄｒｕｃｋｄａｒｓｔｅｌｌｕｎｇ＝フィンガープリント表示）を記憶するためのメモリであって、フィンガープリント表示は、フィンガープリント表示の時間的経過がフィルム情報の時間的経過に依存するように形成され、時間スケールが、記憶された基準フィンガープリント表示に関連付けられる、メモリと、フィルムから読み込まれる部分を受信するための手段と、読み込まれた部分からテストフィンガープリント表示を抽出するための手段と、比較および時間スケールに基づいてフィルム内の位置を決定するために、テストフィンガープリント表示と基準フィンガープリント表示とを比較するための手段とを備える。
【誤訳訂正５】
【訂正対象書類名】明細書
【訂正対象項目名】００２２
【訂正方法】変更
【訂正の内容】
【００２２】
フィルム内の位置を決定するための装置および方法は、フィルム自体を準備しまたは変更する必要なしに、どの時点でもフィルム内のどの位置でも決定することを可能にする。関連した時間情報、時間スケールは、フィルムの記憶されたバージョンとともに記憶される。ここでは、フィルムは、特徴抽出に対応する基準フィンガープリント表示の形式で記憶される。したがって、必要なメモリ空間、また演算パワーおよび／または位置を決定する期間も、低減することができる。
【誤訳訂正６】
【訂正対象書類名】明細書
【訂正対象項目名】００２５
【訂正方法】変更
【訂正の内容】
【００２５】
本発明の好適な実施の形態が添付図面を参照して以下に説明される。これらの図面としては：
図１は、フィルムイベントシステム用の制御信号を生成するための装置の好適な実施の形態を示す基本ブロック図であり、
図２ａは、相関を実行するための装置の実施の形態を示す基本ブロック図であり、
図２ｂは、相関を実行するための装置の好適な実施の形態を示す基本ブロック図であり、
図２ｃ．１は、フィルムの例示的なセクションを示す図であり、
図２ｃ．２は、第１の可変再生速度および一定テストサンプリングレートによる図２ｃ．１に示すフィルムのセクションのサウンド信号の例示的な曲線を示す図であり、
図２ｃ．３は、第２の可変再生速度および一定テストサンプリングレートによる図２ｃ．１に示すフィルムのセクションのサウンド信号の例示的な曲線を示す図であり、
図２ｃ．４は、第３の可変再生速度および一定テストサンプリングレートによる図２ｃ．１に示すフィルムのセクションのサウンド信号の例示的な曲線を示す図であり、
図２ｄ．１は、フィルムの２つの例示的なセクションを示す図であり、
図２ｄ．２は、フィルムの基準サウンド信号の例示的な曲線を示す図であり、
図２ｄ．３は、フィルムのセクション用の第１の再生速度および一定テストサンプリングレートに基づくテストサウンド信号の例示的な曲線を示す図であり、
図２ｄ．４は、図２ｄ．２の基準サウンド信号と図２ｄ．３のテストサウンド信号との相関からの例示的な第１の相関結果を示す図であり、
図２ｄ．５は、図２ｄ．１のフィルムの２つの例示的なセクションを示す図であり、
図２ｄ．６は、図２ｄ．２のフィルムの基準サウンド信号の例示的な曲線を示す図であり、
図２ｄ．７は、フィルムのセクション用の第２の再生速度および一定テストサンプリングレートに基づくテストサウンド信号の例示的な曲線を示す図であり、
図２ｄ．８は、図２ｄ．６の基準サウンド信号と図２ｄ．７のテストサウンド信号との相関からの例示的な第２の相関結果を示す図であり、
図３ａは、フィンガープリント表示に基づくフィルム内の部分を決定するための装置の好適な実施の形態を示す基本ブロック図であり、
図３ｂ．１は、フィルムの２つのセクションを示す図であり、
図３ｂ．２は、図３ｂ．１の２つのセクション用の基準サウンド信号の例示的な曲線を示す図であり、
図４は、位置の粗く後に細かい決定に基づくフィルム内の位置を決定するための装置の好適な実施の形態を示す基本ブロック図であり、
図５ａは、フィルムイベントシステム用の制御信号を生成するための装置の好適な実施の形態を示す基本ブロック図であり、
図５ｂ．１は、フィルムの２つのセクションを示す図であり、
図５ｂ．２は、フィルムの第１のセクション用の基準サウンド信号の例示的な曲線を示す図であり、
図５ｂ．３は、フィルムの第２のセクション用のテストサウンド信号の例示的な曲線を示す図であり、
図５ｂ．４は、図５ｂ．２の基準サウンド信号と図５ｂ．３のテストサウンド信号との相関からの例示的な相関結果を示す図であり、
図６ａは、フィルムイベントシステム用の制御信号を生成するための装置およびフィルムイベントシステムを有する例示的なフィルムプロジェクションシステムを示す基本ブロック図であり、
図６ｂは、例示的なオーディオフィルムイベントシステムを有する制御信号を生成するための装置を有する例示的なフィルムプロジェクションシステムを示す基本ブロック図であり、
図７は、１つのフィルム情報に対する時間スケールの例示的な関連を示す概略図であり、
図８は、適用されたフィルム情報を有する例示的なフィルムを示す概略図である。
【誤訳訂正７】
【訂正対象書類名】明細書
【訂正対象項目名】００８２
【訂正方法】変更
【訂正の内容】
【００８２】
フィルム内の位置を決定するための装置は、フィルム情報の基準フィンガープリント表示を記憶するためのメモリ３２０であって、フィンガープリント表示の時間曲線がフィルム情報の時間曲線に依存するようにフィンガープリント表示が形成され、さらに時間スケールが記憶された基準フィンガープリント表示に関連付けられる、メモリ３２０と、フィルムから読み込まれるセクションを受信するための手段３４０と、読み込まれたセクションからテストフィンガープリント表示を抽出するための手段３５０と、比較および時間スケールに基づいてフィルム内の位置を決定するために、テストフィンガープリント表示と基準フィンガープリント表示とを比較するための手段３６０とを備える。
【誤訳訂正８】
【訂正対象書類名】明細書
【訂正対象項目名】００８３
【訂正方法】変更
【訂正の内容】
【００８３】
好適な実施の形態では、フィンガープリント表示は、スペクトル平坦性の形式の表示を含み、フィンガープリント表示の時間曲線は、スペクトル平坦性の時間曲線を含む。
【誤訳訂正９】
【訂正対象書類名】明細書
【訂正対象項目名】００８５
【訂正方法】変更
【訂正の内容】
【００８５】
一実施の形態では、フィルム情報の基準フィンガープリント表示を生成するステップでは、フィンガープリントがフィルムの特定の空間または時間部分に対してそれぞれ決定される。
【誤訳訂正１０】
【訂正対象書類名】明細書
【訂正対象項目名】００８６
【訂正方法】変更
【訂正の内容】
【００８６】
図３ｂ．２は、例えば、位置Ｌ100〜位置Ｌ113のセクションまたは時間Ｔ100〜時間Ｔ113のセクションを含む第１のセクションと、位置Ｌ103〜位置Ｌ113のセクションまたは時間Ｔ103〜時間Ｔ116のセクションを含む第２のセクションとを示す。これらのセクションに基づいて、セクションに関連付けられるフィンガープリントは、例えば、スペクトル解析、フーリエ変換または特徴抽出の他の方法に基づいて生成される。特に好適な実施の形態では、フィンガープリントは、パワー密度スペクトルの曲線から計算されるスペクトル平坦性γx2を含むので、スペクトル平坦性の値は、各セクションに対して決定され、一連のスペクトル平坦性は、フィルム情報の時間曲線に、例えば、関連付けられた時間スケールでメモリ３２０に記憶されるサウンド信号に依存することになる。
【誤訳訂正１１】
【訂正対象書類名】明細書
【訂正対象項目名】００８８
【訂正方法】変更
【訂正の内容】
【００８８】
スペクトル平坦性の形式のフィンガープリント表示の大きな長所は、例えば、等しいセクションのパワー密度スペクトルの完全な記憶に比べて、その必要メモリが少ないことである。好ましくは、曲線または一連のスペクトル平坦性は、それぞれ、セクションのフィンガープリントとして用いられる。
【誤訳訂正１２】
【訂正対象書類名】明細書
【訂正対象項目名】０１０２
【訂正方法】変更
【訂正の内容】
【０１０２】
テストサウンド信号２７０に基づいて、１つもしくは複数の特徴が抽出され、または、テストフィンガープリント表示が形成される。特徴抽出またはフィンガープリント表示それぞれに対して、例えば、スペクトル平坦性が特徴またはフィンガープリントとして用いられる。次に、テストフィンガープリント表示は、特徴またはフィンガープリント表示を比較するための手段５５４によって、基準フィンガープリント表示と比較され、上述のように、フィンガープリント表示は、フィンガープリント表示の時間曲線がフィルム情報の時間曲線に依存するように形成され、時間スケールは、特徴を比較するための手段５５４に記憶される基準フィンガープリント表示に関連付けられ、比較するための手段５５４は、テストフィンガープリント表示と基準フィンガープリント表示および時間スケールとの比較に基づいて、フィルム内の位置を決定し、または、タイムコード信号５５４Ｚを生成するように形成される。
【誤訳訂正１３】
【訂正対象書類名】明細書
【訂正対象項目名】０１１４
【訂正方法】変更
【訂正の内容】
【０１１４】
ピーク対ノイズ値またはピーク対ノイズ距離の閾値を下回る場合、タイムコード差は、例えば、無効であるとして検出することができる。あるいは、ピーク対ノイズ距離が同じようないくつかのピークが決定される場合、タイムコード差は、同様に無効であるとして検出することができる。
【誤訳訂正１４】
【訂正対象書類名】明細書
【訂正対象項目名】０１１９
【訂正方法】変更
【訂正の内容】
【０１１９】
タイマ５８２は、内部クロック（相関の間隔または周波数）と、粗いオーディオＩＤフィンガープリントまたはフィンガープリント表示、例えば特徴決定またはフィンガープリント表示からのタイムコード信号５５４Ｚと、決定された相関差、例えばサンプラ選択のための手段５７０の相関から決定されるタイムコード差信号５７０Ｚとによって制御される。タイマは、相関信号（優先順位が最も高い）、特徴決定からのタイムコードおよび内部クロック（優先順位が最も低い）の優先順位付けを実行する必要がある。
【誤訳訂正１５】
【訂正対象書類名】明細書
【訂正対象項目名】０１３７
【訂正方法】変更
【訂正の内容】
【０１３７】
図５に示す実施の形態と異なり、フィルムイベントシステムの同期は、特徴またはフィンガープリントの評価と１つまたは複数の基準画像信号についてテスト画像信号の相関とのために、フィルムの映像に基づいて実行することができる。
【誤訳訂正１６】
【訂正対象書類名】明細書
【訂正対象項目名】０１６１
【訂正方法】変更
【訂正の内容】
【０１６１】
【図１】図１は、フィルムイベントシステム用の制御信号を生成するための装置の好適な実施の形態を示す基本ブロック図である。
【図２ａ】図２ａは、相関を実行するための装置の実施の形態を示す基本ブロック図である。
【図２ｂ】図２ｂは、相関を実行するための装置の好適な実施の形態を示す基本ブロック図である。
【図２ｃ】図２ｃ．１は、フィルムの例示的なセクションを示す図であり、図２ｃ．２は、第１の可変再生速度および一定テストサンプリングレートによる図２ｃ．１に示すフィルムのセクションのサウンド信号の例示的な曲線を示す図であり、図２ｃ．３は、第２の可変再生速度および一定テストサンプリングレートによる図２ｃ．１に示すフィルムのセクションのサウンド信号の例示的な曲線を示す図であり、図２ｃ．４は、第３の可変再生速度および一定テストサンプリングレートによる図２ｃ．１に示すフィルムのセクションのサウンド信号の例示的な曲線を示す図である。
【図２ｄ（１）】図２ｄ．１は、フィルムの２つの例示的なセクションを示す図であり、図２ｄ．２は、フィルムの基準サウンド信号の例示的な曲線を示す図であり、図２ｄ．３は、フィルムのセクション用の第１の再生速度および一定テストサンプリングレートに基づくテストサウンド信号の例示的な曲線を示す図であり、図２ｄ．４は、図２ｄ．２の基準サウンド信号と図２ｄ．３のテストサウンド信号との相関からの例示的な第１の相関結果を示す図である。
【図２ｄ（２）】図２ｄ．５は、図２ｄ．１のフィルムの２つの例示的なセクションを示す図であり、図２ｄ．６は、図２ｄ．２のフィルムの基準サウンド信号の例示的な曲線を示す図であり、図２ｄ．７は、フィルムのセクション用の第２の再生速度および一定テストサンプリングレートに基づくテストサウンド信号の例示的な曲線を示す図であり、図２ｄ．８は、図２ｄ．６の基準サウンド信号と図２ｄ．７のテストサウンド信号との相関からの例示的な第２の相関結果を示す図である。
【図３ａ】図３ａは、フィンガープリント表示に基づくフィルム内の部分を決定するための装置の好適な実施の形態を示す基本ブロック図である。
【図３ｂ】図３ｂ．１は、フィルムの２つのセクションを示す図であり、図３ｂ．２は、図３ｂ．１の２つのセクション用の基準サウンド信号の例示的な曲線を示す図である。
【図４】図４は、位置の粗く後に細かい決定に基づくフィルム内の位置を決定するための装置の好適な実施の形態を示す基本ブロック図である。
【図５ａ】図５ａは、フィルムイベントシステム用の制御信号を生成するための装置の好適な実施の形態を示す基本ブロック図である。
【図５ｂ】図５ｂ．１は、フィルムの２つのセクションを示す図であり、図５ｂ．２は、フィルムの第１のセクション用の基準サウンド信号の例示的な曲線を示す図であり、図５ｂ．３は、フィルムの第２のセクション用のテストサウンド信号の例示的な曲線を示す図であり、図５ｂ．４は、図５ｂ．２の基準サウンド信号と図５ｂ．３のテストサウンド信号との相関からの例示的な相関結果を示す図である。
【図６ａ】図６ａは、フィルムイベントシステム用の制御信号を生成するための装置およびフィルムイベントシステムを有する例示的なフィルムプロジェクションシステムを示す基本ブロック図である。
【図６ｂ】図６ｂは、例示的なオーディオフィルムイベントシステムを有する制御信号を生成するための装置を有する例示的なフィルムプロジェクションシステムを示す基本ブロック図である。
【図７】図７は、１つのフィルム情報に対する時間スケールの例示的な関連を示す概略図である。
【図８】図８は、適用されたフィルム情報を有する例示的なフィルムを示す概略図である。